Podtech/llm-jp-corpus-v4-ja_patent huggingface dataset:
【手続補正書】
【提出日】令和2年11月1日(2020.11.1)
【手続補正１】
【補正対象書類名】特許請求の範囲
【補正対象項目名】全文
【補正方法】変更
【補正の内容】
【特許請求の範囲】
【請求項１】
側壁と円形底部とを備える容器であって、前記側壁の内面および前記円形底部の円形底面が粉砕されたコーヒー豆を含むコーヒーフィルタを受け入れるように構成された空洞を画定し、前記容器が、前記側壁の上部に円形の第１の開口部および前記円形底面を通って延びる第２の開口部を画定し、前記第１の開口部の直径は、前記円形底面の直径よりも大きく、前記側壁の前記内面が、前記円形底面の前記直径から、前記円形底面に対してある角度で前記第１の開口部まで延び、前記ある角度が円錐台状の形状になるように１５０度から１６０度の角度であり、前記容器が前記側壁の前記内面および前記円形底面上に、前記第１の開口部と前記第２の開口部との間に直線状に延びる複数の隆起部を備え、前記容器は、前記粉砕されたコーヒー豆を収容する前記コーヒーフィルタに水を注入することによって作られるコーヒーが前記側壁の前記内面を流れ落ち、前記円形底面を横切り、前記第２の開口部から出るように構成される、容器と、
前記側壁の外面から外向きに延在するベースと、
前記容器とは反対側の前記ベース上の内側リングであって、前記円形底面の直径と同じ内径を有する、内側リングと
を備え、
前記第１の開口部は前記ベースの一方の側にあり、前記内側リングは前記ベースの反対側にある、プアオーバ式コーヒードリッパ。
【請求項２】
前記容器の中心垂直軸が、前記第１の開口部の中心と、前記円形底面の中心とを通過する、請求項１に記載のプアオーバ式コーヒードリッパ。
【請求項３】
前記第２の開口部は、前記容器を出る前記コーヒーの流れを調整するように構成されたノズルを画定し、前記ノズルは前記円形底面の中心に位置し、前記ノズルは、上部のより広い部分からより狭い部分へと底部に向かってテーパが付けられ、前記ノズルは、前記内側リングよりも小さい前記円形底面から延在し、前記内側リングが平坦な表面上に配置されたときに、前記ノズルではなく前記内側リングの底部が平坦な表面に接触することになるように、前記ノズルは前記内側リングより短く前記円形底面から延在する、請求項２に記載のプアオーバ式コーヒードリッパ。
【請求項４】
前記ベースの底部側に複数の支持リブをさらに備え、前記ベースは、前記中心垂直軸に対して非垂直な角度になるように前記側壁から外向きおよび下向きに延び、前記複数の支持リブは、前記ベースの前記底部側の周縁から前記内側リングに向かって延び、かつ、前記内側リングで終端し、前記複数の支持リブの底部側が、カップ上でバランスをとるように構成された前記中心垂直軸に対して垂直な水平面上に均等な支持面を画定する、請求項３に記載のポアオーバーコーヒードリッパ。
【請求項５】
水平平面視において、前記複数の隆起部は、前記中心垂直軸の周りに放射状のパターンをなし、前記複数の隆起部は、異なる長さの隆起部を備え、前記複数の隆起部は、いずれも互いに交差しない、請求項２に記載のプアオーバ式コーヒードリッパ。
【請求項６】
前記複数の隆起部は、他の隆起部よりも長い４つの最も長い隆起部を含み、前記最も長い隆起部は、互いに約９０度離れて前記放射状のパターンで配置される、請求項５に記載のプアオーバ式コーヒードリッパ。
【請求項７】
前記複数の隆起部の少なくとも一部が、前記側壁の前記内面から前記円形底面上に延在する、請求項５に記載のプアオーバ式コーヒードリッパ。
【請求項８】
前記複数の隆起部は、前記複数の隆起部が前記第２の開口部に近づくにつれて、前記複数の隆起部が延びる表面に平行な方向に広がる、請求項５に記載のプアオーバ式コーヒードリッパ。
【請求項９】
前記複数の隆起部は、前記複数の隆起部が前記第２の開口部に近づくにつれて、前記複数の隆起部が延びる表面に垂直な方向における高さにおいて厚くなる、請求項８に記載のプアオーバ式コーヒードリッパ。
【請求項１０】
前記円形底面は、前記円形底面の直径から前記ノズルに向かって下方に傾斜する、請求項９に記載のプアオーバ式コーヒードリッパ。
【請求項１１】
前記複数の隆起部の少なくとも一部が、前記円形底面上に延在しない、請求項７に記載のプアオーバ式コーヒードリッパ。
【請求項１２】
前記フィルタをさらに含み、前記フィルタが２０個のひだを含み、前記複数の隆起部が４０個の隆起部を含み、前記フィルタが前記第１の開口部と前記第２の開口部との間に配置される、請求項７に記載のプアオーバ式コーヒードリッパ。
【請求項１３】
前記フィルタおよび前記複数の隆起部は、前記フィルタの内側から、前記フィルタを通して、前記フィルタと前記側壁の前記内面との間の毛細管領域に毛細管現象によりコーヒーを引き込むように構成されている、請求項１２に記載のプアオーバ式コーヒードリッパ。
【請求項１４】
前記ドリッパが、日本の九州地方からの磁器から構成される、請求項１に記載のプアオーバ式コーヒードリッパ。
【請求項１５】
前記ドリッパの前記磁器は、前記側壁の前記内面、前記円形底面、および前記ノズルの上に滑らかな光沢面を形成するために１３００℃を超える温度で焼成され、前記コーヒーための低摩擦であり、流体の流れが多い経路を形成する、請求項１４に記載のコーヒードリッパ。
【請求項１６】
前記側壁の前記内面は、前記中心垂直軸に対して、６５．７度で角度が付けられている、請求項２に記載のプアオーバ式コーヒードリッパ。
【請求項１７】
前記第１の開口部の直径が１１０ｍｍであり、前記円形底面の直径が４７ｍｍであり、前記第１の開口部と前記円形底面との間の前記側壁の長さが７０ｍｍである、請求項２に記載のプアオーバ式コーヒードリッパ。
【請求項１８】
前記ノズルは、最も狭い点で４ｍｍ〜４．５ｍｍの直径を有する、請求項３に記載のプアオーバ式コーヒードリッパ。
【手続補正書】
【提出日】令和2年10月9日(2020.10.9)
【手続補正１】
【補正対象書類名】特許請求の範囲
【補正対象項目名】全文
【補正方法】変更
【補正の内容】
【特許請求の範囲】
【請求項１】
ＰｔＮｉＡｕを含む、ナノ多孔質酸素還元触媒材料であって、前記ＰｔＮｉＡｕ材料が、式ＰｔｘＮｉｙＡｕｚ［式中、ｘは２７．３〜２９．９の範囲、ｙは６３．０〜７０．０の範囲、ｚは０．１〜９．６の範囲である］を有する、ナノ多孔質酸素還元触媒材料。
【請求項２】
１ｎｍ〜１０ｎｍの範囲の直径の細孔を有する、請求項１に記載のナノ多孔質酸素還元触媒材料。
【請求項３】
ｘが２９．４〜２９．９の範囲、ｙが６８．６〜７０．０の範囲、ｚが０．１〜２．０の範囲である、請求項１に記載のナノ多孔質酸素還元触媒材料。
【請求項４】
白金及びニッケルを含む少なくとも１つのナノ多孔質層の形態である、請求項１〜３のいずれか一項に記載のナノ多孔質酸素還元触媒材料であって、前記白金及びニッケルを含むナノ多孔質層のうちの少なくとも１つの上に金を含む層が存在する、ナノ多孔質酸素還元触媒材料。
【請求項５】
前記金を含む層が、最大５０ｎｍの平面等価厚を有する、請求項４に記載のナノ多孔質酸素還元触媒材料。
【請求項６】
露出した金表面層を有する、請求項１〜５のいずれか一項に記載のナノ多孔質酸素還元触媒材料。
【請求項７】
白金の金に対する重量比が、３：１〜２５０：１の範囲である、請求項１〜６のいずれか一項に記載のナノ多孔質酸素還元触媒材料。
【請求項８】
請求項１〜７のいずれか一項の記載のナノ多孔質酸素還元触媒材料によって少なくとも部分的に被覆された外表面を有するマイクロ構造化サポートウィスカーを含む、ナノ構造化要素を含む触媒。
【請求項９】
請求項８に記載の触媒を含む、燃料電池膜電極接合体。
【請求項１０】
白金及びニッケルを含む層が存在する、ＰｔＮｉＡｕを含む酸素還元触媒材料を準備することと、
白金及びニッケルを含む少なくともいくつかの層を脱合金化して、少なくとも１つの層からニッケルを除去し、請求項１〜７のいずれか一項に記載のナノ多孔質酸素還元触媒材料を提供することと、
を含む、方法。
【請求項１１】
脱合金化前に前記触媒をアニーリングすること、を更に含む、請求項１０に記載の方法。
【請求項１２】
白金及びニッケルを含むターゲットから白金及びニッケルを堆積させることと、金を含むターゲットから金を堆積させることと、を更に含む、請求項１０又は１１のいずれかに記載の方法。
【請求項１３】
白金を含むターゲットから白金を堆積させることと、ニッケルを含むターゲットからニッケルを堆積させることと、金を含むターゲットから金を堆積させることと、を更に含む、請求項１０又は１１のいずれかに記載の触媒の製造方法。
【請求項１４】
白金及びニッケルを含むターゲットから白金及びニッケルを堆積させて、白金及びニッケルを含む第１層を準備することと、
金を含むターゲットから金を含む層を堆積させることと、
順番に、少なくとも１回、前記２つの工程を繰り返すことと、
白金及びニッケルを含む少なくとも１つの層を脱合金化して、前記層からニッケルを除去することと、
を含む、請求項１〜８のいずれか一項に記載の触媒の製造方法。
【請求項１５】
脱合金化前に前記層をアニーリングすること、を更に含む、請求項１４に記載の製造方法。
【手続補正書】
【提出日】令和2年10月9日(2020.10.9)
【手続補正１】
【補正対象書類名】特許請求の範囲
【補正対象項目名】全文
【補正方法】変更
【補正の内容】
【特許請求の範囲】
【請求項１】
式ＰｔｘＮｉｙＩｒｚを有する触媒材料によって少なくとも部分的に被覆された外表面を有するマイクロ構造化ウィスカーを含むナノ構造化要素を含む触媒であって、ｘは２６．６〜４７．８の範囲内であり、ｙは４８．７〜７０の範囲内であり、ｚは１〜１１．４の範囲内であり、
前記触媒材料が、白金を含む層と、前記白金を含む層上のニッケルを含む層と、前記ニッケルを含む層上のイリジウムを含む層とを含む、触媒。
【請求項２】
ｘが２６．６〜４７．６の範囲内、ｙが４８．７〜６９．３の範囲内、ｚが１〜１１．４の範囲内である、請求項１に記載の触媒。
【請求項３】
少なくとも１つの層が、白金とニッケルの両方を含み、且つナノ多孔質である、請求項１又は２に記載の触媒。
【請求項４】
露出したイリジウム表面層を有する、請求項１〜３のいずれか一項に記載の触媒。
【請求項５】
前記触媒材料が、白金、ニッケル、及びイリジウムの、順次繰り返す個々の層を含む、請求項１に記載の触媒。
【請求項６】
白金のイリジウムに対する重量比が、１：１〜５０：１の範囲である、請求項１〜５のいずれか一項に記載の触媒。
【請求項７】
請求項１〜６のいずれか一項に記載の触媒を含む、燃料電池膜電極接合体。
【請求項８】
請求項１〜６のいずれか一項に記載の触媒をアニーリングすることを含む方法。
【請求項９】
請求項１〜６のいずれか一項に記載の触媒の製造方法であって、白金及びニッケルを含むターゲットから白金及びニッケルを堆積させることと、イリジウムを含むターゲットからイリジウムを堆積させることと、を含む、製造方法。
【請求項１０】
請求項１〜６のいずれか一項に記載の触媒の製造方法であって、白金を含むターゲットから白金を堆積させることと、ニッケルを含むターゲットからニッケルを堆積させることと、イリジウムを含むターゲットからイリジウムを堆積させることと、を含む、製造方法。
【手続補正書】
【提出日】令和2年10月9日(2020.10.9)
【手続補正１】
【補正対象書類名】特許請求の範囲
【補正対象項目名】全文
【補正方法】変更
【補正の内容】
【特許請求の範囲】
【請求項１】
ＰｔＮｉＩｒを含むナノ多孔質酸素還元触媒材料であって、前記ＰｔＮｉＩｒ材料が、式ＰｔｘＮｉｙＩｒｚ［式中、ｘは２６．６〜４７．８の範囲、ｙは４８．７〜７０の範囲、ｚは１〜１１．４の範囲である］を有する、多孔質酸素還元触媒材料。
【請求項２】
１ｎｍ〜１０ｎｍの範囲の直径の細孔を有する、請求項１に記載のナノ多孔質酸素還元触媒材料。
【請求項３】
ｘが２６．６〜４７．６の範囲、ｙが４８．７〜６９．３の範囲、ｚが１〜１１．４の範囲である、請求項１に記載のナノ多孔質酸素還元触媒材料。
【請求項４】
白金及びニッケルを含む少なくとも１つのナノ多孔質層の形態である、請求項１〜３のいずれか一項に記載のナノ多孔質酸素還元触媒材料であって、前記白金及びニッケルを含むナノ多孔質層のうちの少なくとも１つの上にイリジウムを含む層が存在する、ナノ多孔質酸素還元触媒材料。
【請求項５】
前記イリジウムを含む層が、最大５０ｎｍの平面等価厚を有する、請求項４に記載のナノ多孔質酸素還元触媒材料。
【請求項６】
白金のイリジウムに対する重量比が、１：１〜５０：１の範囲である、請求項１〜５のいずれか一項に記載のナノ多孔質酸素還元触媒材料。
【請求項７】
請求項１〜６のいずれか一項の記載のナノ多孔質酸素還元触媒材料によって少なくとも部分的に被覆された外表面を有するマイクロ構造化サポートウィスカーを含む、ナノ構造化要素を含む触媒。
【請求項８】
請求項７に記載の触媒を含む、燃料電池膜電極接合体。
【請求項９】
白金及びニッケルを含む層が存在する、ＰｔＮｉＩｒを含む酸素還元触媒材料を準備することと、
白金及びニッケルを含む少なくともいくつかの層を脱合金化して、少なくとも１つの層からニッケルを除去し、請求項１〜６のいずれか一項に記載のナノ多孔質酸素還元触媒材料を提供することと、
を含む方法。
【請求項１０】
脱合金化前に前記触媒をアニーリングすること、を更に含む、請求項９に記載の方法。
【請求項１１】
白金及びニッケルを含むターゲットから白金及びニッケルを堆積させることと、イリジウムを含むターゲットからイリジウムを堆積させることと、を更に含む、請求項９又は１０のいずれかに記載の方法。
【請求項１２】
白金を含むターゲットから白金を堆積させることと、ニッケルを含むターゲットからニッケルを堆積させることと、イリジウムを含むターゲットからイリジウムを堆積させることと、を更に含む、請求項９又は１０に記載の触媒の製造方法。
【請求項１３】
白金及びニッケルを含むターゲットから白金及びニッケルを堆積させて、白金及びニッケルを含む第１層を準備することと、
イリジウムを含むターゲットからイリジウムを含む層を堆積させることと、
順番に、少なくとも１回、前記２つの工程を繰り返すことと、
白金及びニッケルを含む少なくとも１つの層を脱合金化して、前記層からニッケルを除去することと、
を含む、請求項１〜７のいずれか一項に記載の触媒の製造方法。
【請求項１４】
脱合金化前に前記層をアニーリングすること、を更に含む、請求項１３に記載の製造方法。
【手続補正書】
【提出日】令和2年11月16日(2020.11.16)
【手続補正１】
【補正対象書類名】特許請求の範囲
【補正対象項目名】全文
【補正方法】変更
【補正の内容】
【特許請求の範囲】
【請求項１】
携帯型の医療用超音波撮像装置であって、
トランスデューサアレイを含むトランスデューサプローブハウジングと、
携帯型のハウジングであって、前記携帯型のハウジング内にはコンピュータシステムがあり、前記コンピュータシステムが、少なくとも１つのプロセッサおよび少なくとも１つのメモリ、ならびに、超音波画像を表示するディスプレイであって、前記携帯型のハウジング上に位置決めされたディスプレイを含み、前記ハウジング内のグラフィックプロセッサが前記コンピュータシステムに接続されている、ハウジングと、
前記トランスデューサアレイから画像データを受信する超音波ビーム形成器処理回路であって、前記コンピュータシステムに通信可能に接続される超音波ビーム形成器処理回路と
を備え、
前記コンピュータシステムが、増強された画像データを生成するように、リアルタイム超音波画像データ上で計算プロセスを実行する、
装置。
【請求項２】
前記コンピュータシステムが、前記トランスデューサアレイからのビーム送信を制御するコントローラに接続され、前記コンピュータシステムは高調波撮像または超高調波撮像を実行するように構成される、請求項１に記載の装置。
【請求項３】
前記コンピュータシステムがさらに、前記携帯型のハウジング内のコアメモリに接続されているグラフィックプロセッサを含む、請求項１に記載の装置。
【請求項４】
前記トランスデューサアレイがバイプレーントランスデューサアレイを含む、請求項１から３のいずれか一項に記載の装置。
【請求項５】
前記計算プロセスが、腹腔鏡撮像装置またはカメラからの画像を超音波画像によってオーバーレイするように、前記トランスデューサプローブが前記腹腔鏡撮像装置または前記カメラをさらに有する、請求項１から３のいずれか一項に記載の装置。
【請求項６】
前記計算プロセスが、画像データを処理するニューラルネットワーク、パルス結合ニューラルネットワーク、またはサポートベクターマシンのうち少なくとも１つを含み得る機械学習計算プロセスを含む、請求項１から５のいずれか一項に記載の装置。
【請求項７】
前記ディスプレイがタッチスクリーンディスプレイを含み、前記タッチスクリーンディスプレイからの入力に応答して、前記超音波ビーム形成器処理回路の動作を自動的に調整することをさらに備える、請求項１から５のいずれか一項に記載の装置。
【請求項８】
前記入力が、前記タッチスクリーンディスプレイに対するプレスジェスチャ、および、前記入力と実質的に同時に受信されている前記第２のさらなる入力に対応し、前記入力は、癌診断用撮像シーケンス、駆出率測定のための心臓撮像シーケンス、内膜中膜厚（ＩＭＴ）測定のための動脈撮像シーケンス、のうちの少なくとも１つを実行するように、予め設定された撮像シーケンスを選択する、請求項７に記載の装置。
【請求項９】
前記トランスデューサアレイが、前記トランスデューサプローブハウジングにおけるビーム形成器処理回路によってそれぞれ動作する複数のトランスデューサアレイを含む、請求項１から８のいずれか一項に記載の装置。
【請求項１０】
キーボード制御盤または仮想制御盤からの入力を前記コンピュータシステムで受信することをさらに含む、請求項１から９のいずれか一項に記載の装置。
【請求項１１】
前記グラフィックプロセッサを超音波プロセッサに接続するバスをさらに備え、前記コンピュータシステムは共有メモリに接続されるか、または共有メモリを含む、請求項３に記載の装置。
【請求項１２】
前記携帯型のハウジングが、２５００立方センチメートル未満の容量を有するバッテリを電源とするタブレットを含み、前記タブレットはネットワークに接続する外部通信ポートを有する、請求項１から１１のいずれか一項に記載の装置。
【請求項１３】
ハンドヘルド型の医療用超音波撮像装置であって、
前記医療用超音波撮像装置は、トランスデューサプローブと、タブレットハウジングであって、前記タブレットハウジング内にはコンピュータシステムがあり、前記コンピュータシステムが、少なくとも１つのプロセッサおよび少なくとも１つのメモリ、超音波画像を表示するディスプレイ、前記タブレットハウジングおよび前記トランスデューサプローブのうち少なくとも一方内に配置された超音波ビーム形成器処理回路、ならびに前記コンピュータシステムに通信可能に連結されている、または含まれている、グラフィック処理ユニットを含む、ハウジングとを含み、
前記コンピュータシステムは、
コンピュータシステムで、制御盤からの入力を受信し、
前記入力に応答して、計算プロセスを用いて画像データを処理するように構成される、
装置。
【請求項１４】
前記ディスプレイがタッチスクリーンディスプレイを含み、入力が、前記タッチスクリーンディスプレイに対するプレスジェスチャまたは動的ジェスチャに対応し、前記ジェスチャが、超音波撮像手順のためのプリセットを選択するように動作し、前記コンピュータシステムが、増強された画像を生成するように前記計算プロセスを実行する、請求項１３に記載の装置。
【請求項１５】
前記ハンドヘルド型の医療用超音波撮像装置が、電磁（ＥＭ）センサを有するトランスデューサプローブと、タブレットフォームファクタのハウジングであって、前面パネルを有するハウジングと、前記ハウジング内に配置されるコンピュータであって、少なくとも１つのプロセッサおよび少なくとも１つのメモリ、および超音波画像を表示するためのタッチスクリーンディスプレイであって、前記前面パネル上に配置されているタッチスクリーンディスプレイを含む、コンピュータとを含み、前記超音波ビーム形成器処理回路および前記タッチスクリーンディスプレイは前記ハウジングに配置され、前記超音波ビーム形成器処理回路が前記コンピュータに通信可能に連結され、
前記装置が関心領域の超音波画像データおよびカメラ画像データを受信するステップを備える撮像手順を実行する、請求項１３または１４に記載の装置。
【手続補正書】
【提出日】令和1年11月5日(2019.11.5)
【手続補正１】
【補正対象書類名】特許請求の範囲
【補正対象項目名】全文
【補正方法】変更
【補正の内容】
【特許請求の範囲】
【請求項１】
細胞除外膜に接触した不織布層、及び、前記細胞除外膜内のＰＤＸ１陽性膵臓内胚葉細胞を含む細胞送達装置を含む組合せ製品。
【請求項２】
前記不織布層が前記細胞送達装置の前記細胞除外膜に対して外側にある請求項１に記載の組合せ製品。
【請求項３】
前記不織布層及び前記細胞除外膜が共に積層される請求項１に記載の組合せ製品。
【請求項４】
前記不織布層及び前記細胞除外膜が穿孔を含む請求項１に記載の組合せ製品。
【請求項５】
前記不織布層及び前記細胞除外膜が４０個未満、２０個未満、５〜２００個、又は２０〜１００個の穿孔を含む請求項４に記載の組合せ製品。
【請求項６】
前記不織布層及び前記細胞除外膜の各穿孔が１５０ミクロン以下、１００ミクロン以下、７５ミクロン以下、５０ミクロン以下、５０〜３００ミクロン、５０〜２００ミクロン、７５〜２００ミクロン、２００〜４００ミクロン、又は７０〜８０ミクロンの直径を有する請求項４に記載の組合せ製品。
【請求項７】
前記不織布層及び前記細胞除外膜の各穿孔が、穿孔の中心から他の穿孔の中心を測定して、０．５ｍｍ、１．０ｍｍ、１．５ｍｍ、２ｍｍ、４ｍｍ、又は８ｍｍ離れている請求項４に記載の組合せ製品。
【請求項８】
前記細胞除外膜が穿孔を含む請求項１に記載の組合せ製品。
【請求項９】
前記細胞除外膜が４０個未満、２０個未満、５〜２００個、又は２０〜１００個の穿孔を含む請求項８に記載の組合せ製品。
【請求項１０】
前記細胞除外膜の各穿孔が１５０ミクロン以下、１００ミクロン以下、７５ミクロン以下、５０ミクロン以下、５０〜３００ミクロン、５０〜２００ミクロン、７５〜２００ミクロン、２００〜４００ミクロン、又は７０〜８０ミクロンの直径を有する請求項８に記載の組合せ製品。
【請求項１１】
前記細胞除外膜の各穿孔が、穿孔の中心から他の穿孔の中心を測定して、０．５ｍｍ、１．０ｍｍ、１．５ｍｍ、２ｍｍ、４ｍｍ、又は８ｍｍ離れている請求項８に記載の組合せ製品。
【請求項１２】
前記ＰＤＸ１陽性膵臓内胚葉細胞が、膵臓前駆細胞、膵臓内分泌細胞、内分泌前駆細胞、又は膵臓ベータ細胞である請求項１に記載の組合せ製品。
【請求項１３】
哺乳類動物でインスリンを産生する方法に用いるための、請求項１〜１２のいずれか１項に記載の組み合わせ製品。
【請求項１４】
前記方法が、
ａ）請求項１〜１２のいずれか１項に記載の組み合わせ製品を前記哺乳類動物に移植し、及び
ｂ）前記哺乳類動物において前記ＰＤＸ１陽性膵臓内胚葉細胞を成熟させ、成熟細胞がインスリン分泌細胞を産生し、それによって哺乳類動物でインスリンが産生することを含む
請求項１３記載の組み合わせ製品。
【手続補正書】
【提出日】令和2年11月4日(2020.11.4)
【手続補正１】
【補正対象書類名】特許請求の範囲
【補正対象項目名】全文
【補正方法】変更
【補正の内容】
【特許請求の範囲】
【請求項１】
造影剤流が存在する際に肝臓から取得される超音波データに基づいて造影剤流の肝灌流を特徴付けるシステムであって、
肝動脈、及び前記肝臓の肝実質における少なくとも１つの関心領域（ＲＯＩ）における造影剤流の時間／強度曲線の第１情報源であって、前記時間／強度曲線が前記超音波データから生成される第１情報源を有する、システムにおいて、
前記少なくとも１つのＲＯＩのうちの或るＲＯＩに関して、前記肝動脈における造影剤流の時間／強度曲線を該ＲＯＩにおける造影剤流の時間／強度曲線に対しスケーリングすることにより、該ＲＯＩにおける動脈流を表す時間／強度曲線データを生成すると共に、該ＲＯＩにおける動脈流を表す時間／強度曲線データを該ＲＯＩにおける造影剤流の時間／強度曲線から減算することにより、該ＲＯＩにおける静脈流を表す時間／強度曲線データを生成する時間／強度曲線スケーラ及び減算器、
を有することを特徴とする、システム。
【請求項２】
前記第１情報源は、
造影剤流が存在する際に取得される超音波肝臓画像データの第２情報源と、
前記超音波肝臓画像データを入力し、造影剤流から高調波エコー信号データを生成する非線形信号分離器と、
前記高調波エコー信号データに応答して、前記少なくとも１つのＲＯＩにおいて前記肝動脈における造影剤流の時間／強度曲線を生成する時間／強度曲線プロセッサと、
を有する、請求項１に記載のシステム。
【請求項３】
前記時間／強度スケーラ及び減算器は、更に、前記肝動脈における造影剤流の全時間／強度曲線を振幅的に、前記肝動脈における造影剤流の時間／強度曲線の振幅が前記ＲＯＩにおける時間／強度曲線の或る区域又は該区域の一部における振幅と合致するようにスケーリングし、前記区域が、前記肝動脈からの造影剤の到達から、前記肝臓の門脈からの造影剤の後の到達時までの期間により境界を定められる、請求項１に記載のシステム。
【請求項４】
前記第１情報源は前記肝臓の前記門脈における造影剤流の時間／強度曲線を供給し、
前記時間／強度曲線スケーラ及び減算器が、前記肝動脈における造影剤流の時間／強度曲線に基づいて、該肝動脈からの造影剤の到達を決定すると共に、前記肝臓の前記門脈における造影剤流の時間／強度曲線に基づいて、該門脈からの造影剤の後の到達時を決定する、請求項３に記載のシステム。
【請求項５】
前記時間／強度曲線スケーラ及び減算器が、前記肝動脈における造影剤流の時間／強度曲線を時間的にスケーリングする、請求項１に記載のシステム。
【請求項６】
前記ＲＯＩにおける動脈流を表す時間／強度曲線データ及び前記ＲＯＩにおける静脈流を表す時間／強度曲線データの１以上を出力する出力ユニット、
を更に有する、請求項１に記載のシステム。
【請求項７】
前記出力ユニットが、前記ＲＯＩにおける動脈流を表す時間／強度曲線及び前記ＲＯＩにおける静脈流を表す時間／強度曲線を出力する、請求項６に記載のシステム。
【請求項８】
前記出力ユニットが、肝臓における動脈流又は静脈流のパラメータ的マップを出力する、請求項６に記載のシステム。
【請求項９】
造影剤流が存在する際に肝臓から取得される超音波肝臓画像データに基づいて造影剤流の肝灌流を特徴付ける方法であって、前記方法は、
肝動脈位置における造影剤流の時間／強度曲線、及び、前記肝臓の肝実質における少なくとも１つの関心領域（ＲＯＩ）の各々における造影剤流の時間／強度曲線を取得するステップであって、前記時間／強度曲線が前記超音波肝臓画像データから生成されるステップを有する、方法において、
前記少なくとも１つのＲＯＩのうちの或るＲＯＩに対して、
前記肝動脈位置における造影剤流の時間／強度曲線を該ＲＯＩにおける造影剤流の時間／強度曲線に合致するように、該ＲＯＩにおける動脈流を表す時間／強度曲線データをスケーリングすることにより生成するステップ、及び
該ＲＯＩにおける動脈流を表す時間／強度曲線データを該ＲＯＩにおける造影剤流の時間／強度曲線から減算することにより、該ＲＯＩにおける静脈流を表す時間／強度曲線データを生成するステップ
を有することを特徴とする、方法。
【請求項１０】
前記肝臓の画像においてＲＯＩを選択するステップを更に有する、請求項９に記載の方法。
【請求項１１】
前記肝臓の造影剤流画像を取得するステップ、
前記造影剤流画像に基づいて造影剤流から高調波エコー信号データを生成するステップ、並びに、
前記高調波エコー信号データから前記少なくとも１つのＲＯＩの各ＲＯＩにおける造影剤流の時間／強度曲線及び前記肝動脈位置における造影剤流の時間／強度曲線を生成するステップ、
を更に有する、請求項９に記載の方法。
【請求項１２】
前記スケーリングが、前記肝動脈位置における造影剤流の時間／強度曲線の初期上昇を前記ＲＯＩにおける造影剤流の時間／強度曲線の初期上昇に合致させるステップを更に有する、請求項９に記載の方法。
【請求項１３】
前記初期上昇は、肝動脈からの造影剤の到達から、前記肝臓の門脈からの造影剤の後の到達時までの期間又は該期間の一部により境界を定められ、
当該方法は、更に、前記門脈の位置における造影剤流の時間／強度曲線を取得すると共に、前記門脈の位置における造影剤流の時間／強度曲線に基づいて、前記門脈からの造影剤の前記後の到達時を決定するステップを更に有する、
請求項１２に記載の方法。
【請求項１４】
前記肝臓における動脈流を表す時間／強度曲線データ及び前記肝臓における静脈流を表す時間／強度曲線データの１以上のパラメータ的マップを生成するステップを更に有する、請求項９に記載の方法。
【請求項１５】
コンピュータにより実行された場合に、該コンピュータに請求項９から１４の何れか一項に記載の方法を実行させる命令を有する、コンピュータプログラム。
【手続補正書】
【提出日】令和2年9月10日(2020.9.10)
【手続補正１】
【補正対象書類名】特許請求の範囲
【補正対象項目名】全文
【補正方法】変更
【補正の内容】
【特許請求の範囲】
【請求項１】
組織試料トレイによる使用のための容器であって、
前記組織試料トレイが組織試料を受容するように構成される複数のストリップを含み、前記容器は、
（ａ）容器本体、及び
（ｂ）複数のトレイ受容部、
を備え、
各トレイ受容部は、
（ｉ）遠位端部、
（ｉｉ）近位端部、及び
（ｉｉｉ）複数の壁部、
を備え、
前記遠位端部、前記近位端部、前記複数の壁部のすべては１組のトレイチャンバを画定し、各トレイチャンバは前記組織試料トレイの前記複数のストリップのうち１つのストリップを受容するように構成され、
前記遠位端部のうちの少なくとも１つ、または前記複数の壁部のうちの１つ以上は複数のベント開口部を画定し、前記複数のベント開口部は前記容器の外面、及び前記１組のトレイチャンバのうちの少なくとも１つのトレイチャンバから固定剤を通し、少なくとも１つの組織試料を固定するように構成され、前記複数の壁部は前記組織試料トレイの前記複数のストリップの各ストリップを囲み、前記少なくとも１つの組織試料をそれぞれのトレイチャンバ内に維持するように構成され、
前記複数のトレイ受容部は、共通の平面に沿って前記容器本体によって画定されている、
前記容器。
【請求項２】
前記複数の壁部は、上面及び底面を含み、前記上面または前記底面のうちの少なくとも１つは、前記複数のベント開口部を画定する、請求項１に記載の前記容器。
【請求項３】
前記複数の壁部は、１組の側壁部間に配置される中央壁部をさらに備え、前記中央壁部は、各ベント開口部が前記１組のトレイチャンバの両方のトレイチャンバと連通するように前記各ベント開口部に関して配置される、請求項２に記載の前記容器。
【請求項４】
前記各トレイ受容部の前記遠位端部は、前記複数のベント開口部のうちの前記ベント開口部の少なくともいくつかを画定し、前記遠位端部によって画定される前記ベント開口部は、円形形状を有する、請求項１に記載の前記容器。
【手続補正書】
【提出日】令和2年7月20日(2020.7.20)
【手続補正１】
【補正対象書類名】特許請求の範囲
【補正対象項目名】全文
【補正方法】変更
【補正の内容】
【特許請求の範囲】
【請求項１】
細長い繊維強化材料を工具に塗布するための、複合材料レイアップ装置であって、
複合材料レイアップヘッドは、
前記繊維強化材料をトウ入口からトウ出口に案内するための少なくとも１つの細長いトウガイドチャネルと、
少なくとも１つの前記チャネルを通して前記繊維強化材料を供給する供給装置と、を有し、
前記チャネルは、
前記チャネル内の前記繊維強化材料および前記チャネルの間の接触を抑制するため、
前記トウ入口に隣接し、ガスの噴流が供給されるように配置された少なくとも１つの第１ノズルを備えた第１の部分と、
前記トウ出口に隣接し、前記ガスの噴流が供給されるように配置された少なくとも１つの第２ノズルを備えた第２の部分と、を有し、
空気圧装置は、使用時において、前記繊維強化材料が前記チャネルを通って移動するときに、前記繊維強化材料が冷却されるように、冷却ガスを前記第１ノズルに供給するように構成され、
前記空気圧装置は、使用時において、前記工具に塗布される前に前記繊維強化材料が加熱されるように、高温ガスを前記第２ノズルに供給するように構成される、複合材料レイアップ装置。
【請求項２】
前記第１ノズルおよび／または前記第２ノズルは、前記繊維強化材料の下のそれぞれの前記チャネルに前記ガスの噴流を供給するように配置されている、請求項１に記載の複合材料レイアップ装置。
【請求項３】
前記チャネルは、それぞれの前記チャネル内に前記ガスの噴流を供給するようにそれぞれ配置された複数のノズルを備える、請求項１または２に記載の複合材料レイアップ装置。
【請求項４】
前記チャネルの対向する２つの側面にはそれぞれ、
それぞれの前記繊維強化材料および前記チャネルの対向する壁の間の接触を防止するために、少なくとも１つのノズルが設けられている、請求項３に記載の複合材料レイアップ装置。
【請求項５】
前記ノズルは、前記チャネルの細長い範囲に対して実質的に垂直な方向に沿って、それぞれの前記チャネル内に前記ガスの噴流を供給するように配置されている、請求項１〜４のいずれか１項に記載の複合材料レイアップ装置。
【請求項６】
前記ノズルは、前記チャネルの細長い範囲に対して実質的に平行な方向に沿って、それぞれの前記チャネル内に前記ガスの噴流を供給するように配置されている、請求項１〜４のいずれか１項に記載の複合材料レイアップ装置。
【請求項７】
前記ノズルには、前記ノズルとの接触によって、前記繊維強化材料が前記ノズルを閉じるのを防止するように構成されたノズルガードが設けられている、請求項１〜６のいずれか１項に記載の複合材料レイアップ装置。
【請求項８】
前記ノズルは、前記チャネルの前記トウ入口または前記トウ出口に隣接して設けられる、請求項１〜７のいずれか１項に記載の複合材料レイアップ装置。
【請求項９】
前記工具上に前記ガスの噴流を向けるように配置された少なくとも１つのノズルをさらに有する、請求項１〜８のいずれか１項に記載の複合材料レイアップ装置。
【請求項１０】
前記空気圧装置は、ボルテックスチラーを有する、請求項１〜９のいずれか１項に記載の複合材料レイアップ装置。
【請求項１１】
前記空気圧装置は、前記チャネルの壁が少なくとも部分的に伝導によって冷却されるように、前記複合材料レイアップヘッドの少なくとも一部を冷却するように構成される、請求項１〜１０のいずれか１項に記載の複合材料レイアップ装置。
【請求項１２】
前記空気圧装置は、前記複合材料レイアップヘッドに取り付けられている、請求項１〜１１のいずれか１項に記載の複合材料レイアップ装置。
【請求項１３】
請求項１〜１２のいずれか１項に記載の複合材料レイアップ装置を使用して、前記工具に前記繊維強化材料を塗布する方法であって、
細長い前記繊維強化材料を、前記チャネルを通して案内する案内ステップと、
前記ガスの噴流が前記繊維強化材料と前記チャネルとの間の接触を妨げるように、前記ノズルを介して前記チャネル内に前記ガスの噴流を供給する供給ステップと、
細長い前記繊維強化材料を前記工具に塗布する塗布ステップと、を有し、
前記供給ステップは、
前記繊維強化材料が前記チャネルを通って移動するときに、前記繊維強化材料が冷却されるように、前記冷却ガスの噴流を前記チャネルの前記第１の部分内に供給するステップと、
前記繊維強化材料が前記工具へ塗布する前に加熱されるように、前記高温ガスの噴流を前記チャネルの前記第２の部分内に供給するステップと、を有する、方法。
【請求項１４】
前記繊維強化材料が前記工具に塗布されるときに、前記繊維強化材料が加熱されるように前記工具を加熱するステップをさらに有する、請求項１３に記載の方法。
【手続補正書】
【提出日】令和2年8月4日(2020.8.4)
【手続補正１】
【補正対象書類名】特許請求の範囲
【補正対象項目名】全文
【補正方法】変更
【補正の内容】
【特許請求の範囲】
【請求項１】
共通チャネルおよび膨張式チャネルを形成する２つの側を有するフィルムを膨張させるためのシステムであって、膨張式チャネルが、共通チャネルと流体連通しており、
システムは、
フィルムを長手方向に移動させるように構成されたローラ組立体と、
長手方向にローラ組立体の上流側に配置され、膨張式チャネルを膨張させるように構成されたノズルとを備え、
ノズルは、
フィルムが長手方向に移動するにつれてフィルムの２つの側を分離して共通チャネルを開くように構成された近位端と、
フィルムが長手方向に移動するにつれてフィルムの２つの側が収束することを可能とするように構成された遠位端と、
フィルムが長手方向に移動するときに、膨張式チャネルを膨張させるためにガスを共通チャネル内に横断方向に向けるように構成されるスロットと、
を備え、
ローラ組立体がスロット付きローラを含み、
スロット付きローラが、ドラグシーラを収容するように構成され、ドラグシーラは、フィルムが長手方向に移動するときに、フィルム内にシールを形成するように構成されている、システム。
【請求項２】
近位端が、長手方向の上流側に配置されるように構成された湾曲した近位端である、請求項１に記載のシステム。
【請求項３】
遠位端が、長手方向の下流側に配置されるように構成されている先細の遠位端である、請求項１に記載のシステム。
【請求項４】
スロットが長手方向スロットであり、長手方向スロットの少なくとも一部がノズルの先細の遠位端に配置されている、請求項３に記載のシステム。
【請求項５】
ローラ組立体が、フィルムを長手方向に移動させるように構成された第１のローラと第２のローラとを含む、請求項３に記載のシステム。
【請求項６】
先細の遠位端の少なくとも一部は、第１のローラと第２のローラとの間に配置されるように構成されている、請求項５に記載のシステム。
【請求項７】
ローラ組立体によって長手方向に動かされるフィルムにシールを作成するためのドラグシーラであって、
シーラは、
中にスロットを有する本体と、
本体の一部から露出される加熱要素と
を備え、
ローラ組立体は第１のローラと第２のローラとを含み、
第１のローラと第２のローラの一方がスロット付きローラであり、
本体のスロットが、本体の一部が第１のローラと第２のローラとの間に配置された状態で、シーラの一部がスロット付きローラに配置されることを可能にするように構成され、
加熱要素が、フィルムが第１のローラと第２のローラによって長手方向に動かされるときに、フィルムにシールを形成させるように作動されるように構成される、ドラグシーラ。
【請求項８】
本体が、２０℃の温度でおおよそ１０Ｗｍ−１Ｋ−１以下の熱伝導率を有する１つまたは複数の材料から作られる、請求項７に記載のドラグシーラ。
【請求項９】
本体が１つまたは複数のセラミック材料から作られている、請求項７に記載のドラグシーラ。
【請求項１０】
本体の一部が平坦部分である、請求項７に記載のドラグシーラ。
【請求項１１】
平坦部分が、ローラ組立体によってフィルムが移動されるときに、フィルムが平坦部分上を移動することを可能にするように配置される、請求項１０に記載のドラグシーラ。
【請求項１２】
スロットは、本体の一部がスロット付きローラのスロットに配置された状態で、スロット付きローラの軸を収容するように寸法決めされている、請求項７に記載のドラグシーラ。
【請求項１３】
フィルムにシールを作成するためのシステムであって、
システムは、
第１のローラと第２のローラとを有するローラ組立体であって、第１のローラと第２のローラがフィルムを長手方向に動かすよう構成され、第１のローラと第２のローラの一方がスロット付きローラである、ローラ組立体と、
本体と、本体の一部から露出する加熱要素とを有するドラグシーラと
を備え、
本体の一部が第１のローラと第２のローラとの間に配置された状態で、ドラグシーラの一部がスロット付きローラに配置されることを可能にするように構成されるスロットを本体が有し、
加熱要素が、フィルムが第１のローラと第２のローラによって長手方向に動かされるときに、フィルムにシールを形成させるように作動されるように構成される、システム。
【請求項１４】
本体が、２０℃の温度でおおよそ１０Ｗｍ−１Ｋ−１以下の熱伝導率を有する１つまたは複数の材料から作られる、請求項１３に記載のシステム。
【請求項１５】
本体が１つまたは複数のセラミック材料から作られている、請求項１３に記載のシステム。
【請求項１６】
本体の一部が平坦部分である、請求項１３に記載のシステム。
【請求項１７】
平坦部分が、ローラ組立体によってフィルムが移動されるときに、フィルムが平坦部分上を移動することを可能にするように配置される、請求項１６に記載のシステム。
【請求項１８】
スロットが、本体の一部がスロット付きローラのスロットに配置された状態で、スロット付きローラの軸を収容するように寸法決めされている、請求項１３に記載のシステム。
【手続補正書】
【提出日】令和2年10月2日(2020.10.2)
【手続補正１】
【補正対象書類名】明細書
【補正対象項目名】０００６
【補正方法】変更
【補正の内容】
【０００６】
精油用ディフューザは、精油を散布して吸い込むために、又は室内若しくはその場所に心地よい芳香を生じさせるために使用されてきた。しかしながら、大部分の精油と共に使用するための市販のディフューザは、信頼性に欠けることがほとんどであり、耐用年数は短く、故障率が高い。これらの問題は、ディフューザのメンテナンス時に細心の注意を払うことにより緩和され得るが、これは、平均的ユーザの能力及び忍耐を超えるものである。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２００２／００４３５６８号明細書
（特許文献２）  米国特許出願公開第２００４／０２３８９７６号明細書
（特許文献３）  韓国公開実用新案第２０−２０１４−０００４２００号公報
（特許文献４）  米国特許出願公開第２０１０／００８４４８４号明細書
（特許文献５）  特開平０５−２６９１８９号公報
【手続補正書】
【提出日】令和2年4月30日(2020.4.30)
【手続補正１】
【補正対象書類名】明細書
【補正対象項目名】０００８
【補正方法】変更
【補正の内容】
【０００８】
したがって、高い化学的安定性および熱的安定性を有し、異なる化学物質への適用を可能にし、かつ非常に短い応答時間を有する酸素分子を検出するための層が必要とされている。
この出願の発明に関連する先行技術文献情報としては、以下のものがある（国際出願日以降国際段階で引用された文献及び他国に国内移行した際に引用された文献を含む）。
（先行技術文献）
（特許文献）
（特許文献１）  米国特許出願公開第２００７／２４３６１８号明細書
（特許文献２）  国際公開第２０１３／１４２８８６号
（特許文献３）  英国特許出願公開第２１３２３４８号明細書
（特許文献４）  米国特許出願公開第２０１３／１０２０２４号明細書
【手続補正書】
【提出日】令和2年10月1日(2020.10.1)
【手続補正１】
【補正対象書類名】特許請求の範囲
【補正対象項目名】全文
【補正方法】変更
【補正の内容】
【特許請求の範囲】
【請求項１】
熱硬化ポリマーと木材材料とを含む複合材料によって形成される圧縮物品であって、
前記複合材料は、硬化した熱硬化ポリマーの連続マトリックスと、前記マトリックス内に分布し前記熱硬化ポリマーによって少なくとも部分的に包まれた木材チップを有し、
室温で少なくとも１６８時間にわたって水中に浸漬したときに１重量％未満の吸水性を有し、
前記チップが、少なくとも前記外表面に隣接する区域において、相互に連結したチップの３次元構造を形成する、圧縮物品。
【請求項２】
外表面を備え、前記木材チップが平面を有する板状粒子によって形成され、前記チップが前記外表面と平行な平面内で少なくとも部分的に重なっている、請求項１に記載の物品。
【請求項３】
前記チップがそれぞれ１から７．５ｍｍまたは０．５から３ｍｍの篩い分けサイズを有する、請求項１または２に記載の物品。
【請求項４】
前記熱硬化ポリマーのマトリックスが、実質的に透明または半透明である熱硬化樹脂を含む、請求項１から３のいずれか一項に記載の物品。
【請求項５】
前記３次元構造が、少なくとも０．１ｍｍ、特に少なくとも０．２５ｍｍ、例えば少なくとも０．５ｍｍの深さまで外表面上で視覚的に識別可能である、請求項１から４のいずれか一項に記載の物品。
【請求項６】
前記熱硬化ポリマーのマトリックスが、ポリエステル樹脂、特に芳香族ポリエステル樹脂、またはエポキシ樹脂または尿素ホルムアルデヒド樹脂またはメラミンホルムアルデヒド樹脂またはメラミンウレアホルムアルデヒド樹脂を含む、請求項１から５のいずれか一項に記載の物品。
【請求項７】
前記木材チップが、前記複合材料のポリマーマトリックス全体にわたって分布している、請求項１から６のいずれか一項に記載の物品。
【請求項８】
前記複合材料のマトリックス中の個々の前記木材チップの大部分が前記熱硬化ポリマーで覆われている、請求項１から７のいずれか一項に記載の物品。
【請求項９】
硬化した前記熱硬化ポリマー１００重量部当たり、１から６０重量部、特に１０から４０重量部の前記木材チップを含む、請求項１から８のいずれか一項に記載の物品。
【請求項１０】
０．５から１００％の範囲で変化する相対湿度において、寸法的に安定である、請求項１から９のいずれか一項に記載の物品。
【請求項１１】
前記熱硬化ポリマーのマトリックス中で、体積分率において前記木材チップの少なくとも５０％、特に７０から１００％が前記熱硬化ポリマーによって囲まれている、請求項１から１０のいずれか一項に記載の物品。
【請求項１２】
前記木材チップが針葉樹および落葉性の木材チップの群から選択され、特に前記木材チップがアスペン、ポプラ、アルダーおよびマツの多孔質チップから選択される、請求項１から１１のいずれか一項に記載の物品。
【請求項１３】
前記木材チップが、予め選択された色に染色されている、請求項１から１２のいずれか一項に記載の物品。
【請求項１４】
前記木材チップが少なくとも部分的に前記熱硬化ポリマーで含浸されている、請求項１から１３のいずれか一項に記載の物品。
【請求項１５】
前記物品が、硬化した前記熱硬化ポリマーそれ自体の密度よりも少なくとも１％、特に２から２０％小さい密度を有する、請求項１から１４のいずれか一項に記載の物品。
【請求項１６】
前記物品がある体積を有し、前記物品の前記体積の少なくとも１％に達する各体積部分
の密度は、硬化した熱硬化ポリマーの密度より少なくとも５％、特に１０から４０％小さ
い、請求項１から１５のいずれか一項に記載の物品。
【請求項１７】
０．５から３ｍｍのサイズに篩い分けした木材チップを使用した場合に、室温で少なくとも１６８時間以上にわたる水中への含浸に対し、０．５重量％未満、特に０．３重量％未満の吸水性を有する、請求項１から１６のいずれか一項に記載の物品。
【請求項１８】
イソフタル酸／ネオペンチルグリコールポリエステル樹脂によって形成されたゲルコートコーティングなどのゲルコートコーティングを有する、請求項１から１７のいずれか一項に記載の物品。
【請求項１９】
請求項１から１８のいずれかに記載の物品の製造方法であって、
−木材チップと未硬化の熱硬化性樹脂で形成される液体とを１：１００から６０：１００の重量比でブレンドして均一な混合物を得る工程と、
−圧縮物品の外表面に対応する受け面を有する圧縮金型に前記混合物を移す工程と、
−前記受け面に対して少なくとも１つの表面を有する圧縮物品を形成するために前記金型内で前記混合物を成形する工程と、を含み、
前記木材チップが、成形中、少なくとも前記外表面上で、相互に連結した三次元構造に自己組織化することができる、製造方法。
【請求項２０】
−木材チップと未硬化の熱硬化性樹脂から形成される液体とを１：１００から４０：１００の重量比でブレンドして均一な混合物を得る工程と、
−前記混合物を圧縮金型に移す工程と、
−水の沸点未満の温度で、かつ、圧縮中に前記木材チップが前記熱硬化性樹脂内に相互に連結したチップの三次元構造を形成することを可能にする条件下で、前記金型内で前記混合物を成形する工程と、を含む、請求項１９に記載の製造方法。
【請求項２１】
未硬化の前記熱硬化性樹脂とブレンドする前記木材チップが、未硬化の前記熱硬化性樹脂を含浸させることが可能である、請求項１９または２０に記載の方法。
【請求項２２】
前記混合物が、室温で触媒活性化によって前記金型内で硬化される、請求項１９から２１のいずれか一項に記載の方法。
【請求項２３】
前記チップが予め選択された色に染色される、請求項１９から２２のいずれか一項に記載の方法。
【請求項２４】
前記樹脂が半透明であり、前記物品に予め選択された色を付与するために前記チップを染色する、請求項２３に記載の方法。
【請求項２５】
木質材料が樹脂と混合される前に、例えば加熱によって前処理される、請求項１９から２４のいずれか一項に記載の方法。
【請求項２６】
前記物品が、前記物品の水および攻撃性の低い化学薬品に対する耐性を改善することができる材料で被覆されている、請求項１９から２５のいずれか一項に記載の方法。
【請求項２７】
前記物品が、イソフタル酸／ネオペンチルグリコールポリエステル樹脂によって形成され得るゲルコートの層で被覆される、請求項２６に記載の方法。
【請求項２８】
水との連続的または時折の接触にさらされる構造物における、請求項１から１８のいずれか一項に記載の物品の使用。
【請求項２９】
屋内または屋外用の家具製品の製造における、台所および浴室用の備え付け備品における、または、ボートおよび同様の船舶上における、請求項２８に記載の使用。